(57)【要約】【課題】哺乳動物の状態を容易かつ正確に判断することが出来る哺乳動物監視装置を提供すること。【解決手段】サーバ及び前記サーバとネットワークを介して接続された複数のクライアントを設け、前記クライアントが前記サーバから受信した哺乳動物の個体関連データを表示すると共に、前記個体関連データに基づいて前記哺乳動物の状態を画像表示する哺乳動物監視装置。【選択図】図１
2008228695.tif 000002
【特許請求の範囲】
【請求項１】
複数の哺乳動物の現在状態を個別に画像表示する哺乳動物監視装置であって、
前記哺乳動物の生体情報及び環境情報を表す個体関連データを保持するサーバと、前記サーバからネットワークを介して前記個体関連データを取得して前記個体関連データに基づく画像表示を各々が行う複数のクライアントと、からなり、
前記クライアントの各々は、前記哺乳動物の１つの生体情報を表す生体信号データを生成する第１生成手段と、
前記哺乳動物の１つの環境の現在状態の指標を示す指標データを生成する第２生成手段と、
前記生体信号データ及び前記指標データを前記哺乳動物の前記個体関連データに対応する個体毎の組として前記サーバとの間で送受信する送受信手段と、
前記生体信号データに対応して形成された複数の画像パターンを保持する画像パターン保持手段と、
前記サーバから前記個体関連データに従って個別に取得した前記生体信号データの最新値に応じて選択した前記画像パターンの表示及び前記指標データの最新値の画像表示を成す画像表示手段と、を含むことを特徴とする哺乳動物監視装置。
【請求項２】
前記画像パターンは対処処置の必要の有無を示すパターンであることを特徴とする請求項１記載の哺乳動物監視装置。
【請求項３】
前記画像パターンは対処処置の必要の有無をパターンの色によって示すことを特徴とする請求項２記載の哺乳動物監視装置。
【請求項４】
前記クライアントは前記哺乳動物の種別を示す種別データを生成する第３生成手段を含み、
前記画像パターン保持手段は前記種別データ毎に異なる画像パターンを表示することを特徴とする請求項１乃至３のいずれか１に記載の哺乳動物監視装置。
【発明の詳細な説明】
【技術分野】
【０００１】
本発明は、ペットとしての犬や猫等の哺乳動物の状態及び環境情報を提供する哺乳動物監視装置に関する。
【背景技術】
【０００２】
少子高齢化社会を迎え、犬や猫等の哺乳動物をペットとして家族同然に扱い、手厚く育てる人が増えてくる中で、共働き夫婦や一人暮らしの働く人にとっては、自宅に置いてきているペットの状態が心配となる。かかる対策としてＷｅｂカメラ等を使用してネットワークを介してペットとしての哺乳動物の様子を見るサービス等が提供されている。
【０００３】
また、飼い主が旅行や長時間の外出する際にペットを自宅に置いておくことが出来ない場合には、ペット専用の預かり場所（例えば、ペットホテル等）にペットを預けることが必要となる。ペットホテルにおけるペットの状態の確認システムとしてＷｅｂカメラ、各種センサから得られるペットとしての哺乳動物の状態を飼い主に知らせるシステムが開示されている（特許文献１参照）。
【特許文献１】特開２００２−３４３７７号公報
【発明の開示】
【発明が解決しようとする課題】
【０００４】
特許文献１に記載のペット管理システムでは、Ｗｅｂカメラによってペットとしての哺乳動物の様子を飼い主の携帯端末に表示することが開示されている。また、ペットの首輪等に付けられた各種センサからペットの脈拍、体温及び運動量等のデータの取得を可能とし、かかるデータを飼い主の携帯端末に表示すすることが開示されている。
【０００５】
しかしながら、ペットがカメラの前にいないときはペットの様子を知ることが出来ない。また、Ｗｅｂカメラによってペットの様子を知ることが出来ても、ペットの詳細な状態は容易には知ることが出来ない。さらに、ペットの首輪等に付けられた各種センサからのデータ（脈拍、体温及び運動量等）を確認しただけでは、ペットの状態が容易には把握できない。
【０００６】
本発明は、以上の如き事情に鑑みてなされたものであり、哺乳動物の状態を画像パターンによって表示することで、哺乳動物の状態を容易かつ正確に判断することが出来る哺乳動物監視装置を提供することを目的としている。
【課題を解決するための手段】
【０００７】
上述した課題を解決するために、複数の哺乳動物の現在状態を個別に画像表示する哺乳動物監視装置であって、前記哺乳動物の生体情報及び当該哺乳動物の移住環境空間についての環境情報を表す個体関連データを保持するサーバと、前記サーバからネットワークを介して前記個体関連データを取得して前記個体関連データに基づく画像表示を各々が行う複数のクライアントと、からなり、前記クライアントの各々は、前記哺乳動物の１つの生体情報を表す生体信号データを生成する第１生成手段と、前記哺乳動物の１つの環境の現在状態の指標を示す指標データを生成する第２生成手段と、前記生体信号データ及び前記指標データを前記哺乳動物の前記個体関連データに対応する個体毎の組として前記サーバとの間で送受信する送受信手段と、前記生体信号データに対応して形成された複数の画像パターンを保持する画像パターン保持手段と、前記サーバから前記個体関連データに従って個別に取得した前記生体信号データの最新値に応じて選択した前記画像パターンの表示及び前記指標データの最新値の画像表示を成す画像表示手段と、を含むことを特徴とする哺乳動物監視装置が提供される。
【０００８】
前記画像パターンは、対処処置の必要の有無を示すパターンであり、例えば、パターンの色によって対処処置の必要の有無を示す。
【０００９】
前記クライアントは、前記哺乳動物の種別を示す種別データを生成する第３生成手段を更に含み、前記画像パターン保持手段は前記種別データ毎にことなる画像パターンを表示する。
【発明の効果】
【００１０】
本発明による哺乳動物監視装置によれば、哺乳動物の状態及び環境情報を表す個体関連データを保持するサーバと、個体関連データに基づく哺乳動物の状態を画像パターンにて表示する複数のクライアントと、を有するので哺乳動物の状態を容易かつ正確に判断せしめるのである。
【発明を実施するための形態】
【００１１】
以下、本発明の実施例について添付図面を参照しつつ詳細に説明する。なお、本発明の実施例においては、哺乳動物の１例としてペット（柴犬）を用いるが、哺乳動物は柴犬に限定されることなくその他のペット（猫等）又は人間（例えば幼児等）若しくは家畜等であっても良い。
【００１２】
図１は、本発明の１例を示した哺乳動物監視装置の概略構成図である。
【００１３】
図１に示されているように、複数のクライアント１１−１〜１１−ｎ（ｎは自然数）は、ネットワーク１２を介してプレゼンスサーバ１３に接続可能な環境におかれている。例えば、ネットワーク１２は、電話回線等の固定通信網又は移動体通信網であっても良い。
【００１４】
プレゼンスサーバ１３は、制御部１４、通信処理部１５及びプレゼンスデータベース１６からなる。図示されるクライアント１１−１〜１１−ｎの数は例示であって本発明はかかる数に限定されない。制御部１４は、通信処理部１５の制御及びクライアント１１−１〜１１−ｎから受信したペットの状態データ（以下、生体信号データと称する）及び環境データ（以下、指標データと称する）をプレゼンスデータベース１６に個体関連データとして保存する。
【００１５】
また、制御部１４は、各クライアントから受信した生体信号データからペットの状態（例えば、調子の良し悪し等）を判断する。制御部１４は、各クライアントへ上記判断結果の状態判断データ、生体信号データ及び指標データを送信する。さらに、制御部は、ペットの生体信号データからペットの状態の異常を判別し各クライアントへ連絡する。かかる異常状態の判断については後ほど詳細に説明する。
【００１６】
また、制御部１４は、プレゼンスデータベース１６に蓄積された複数のクライアントからの個体関連データの中から、クライアントによって設定された固有情報データに基づいて同種のペット（例えば柴犬）の個体関連データのみを選択しかつ演算することでペットの種別毎にペットの状態の平均値データを作成する。なお、固有情報データについては後ほど詳細に説明する。
【００１７】
次に、クライアント１１−１〜１１−ｎの１例について図２を参照しつつ詳細に説明する。
【００１８】
図２は、自宅に置いてきたペットを飼い主が外出先からでも監視することが出来るクライアントの構成の１例を示す。
【００１９】
図２に示されているように、ペットに備え付けられた生体情報取得装置２１は、短距離無線通信網２２を介してホームゲートウェイ装置２３に生体信号データを定期的に無線送信する。例えば、生体情報装置２１は、首輪に複数のセンサが設けられたものであっても良い。生体情報取得装置２１については、後ほど詳細に説明する。
【００２０】
クライアント１１の家屋２４の屋内には、無線通信装置（図示せず）を備えた餌残量測定装置２５、室温測定装置２６、空調装置２７、音響装置２８、及び照明装置２９が設けられている。また、これらのペットの周辺環境に係る装置は、生体情報取得装置２１と同様に短距離無線通信網２２を介してホームゲートウェイ装置２３と接続可能な状態となっている。
【００２１】
餌残量測定装置２５及び温湿度測定装置２６は、ペットの周辺環境の現在状態を測定し、かかる測定データを定期的にホームゲートウェイ装置２３に無線送信する。例えば、餌残量測定装置２２は、荷重センサ（図示せず）を有していても良い。餌及び飲料水用の皿に取り付けられた荷重センサによって、ペットの餌及び飲料水の荷重を測定し、かかる荷重データはホームゲートウェイ装置２３に送信される。なお、餌は定期的に餌用の皿に供給することが出来る自動餌供給装置（図示せず）から供給されても良い。自動餌供給装置による定期的な餌の供給によって、一度にすべての餌を食べられる問題が解消され餌残量測定装置２２による測定結果が効果的に活用可能となる。
【００２２】
また、温湿度測定装置２６は、温度センサ（図示せず）、湿度センサ（図示せず）有していても良い。各センサで生成した温度データ信号及び湿度データ信号は、無線通信装置によってホームゲートウェイ装置２３に送信される。
【００２３】
なお、ホームゲートウェイ装置２３と生体情報取得装置２１及び屋内に設けられた周辺環境に係る各装置とは、例えば、Ｂｌｕｅｔｏｏｔｈ、Ｚｉｇ  Ｂｅｅ若しくは無線ＬＡＮ等の小型無線装置を使用して各データの送受信を行っても良い。
【００２４】
また、ホームゲートウェイ装置２３には、Ｗｅｂカメラ３０が接続されている。Ｗｅｂカメラ３０は、後述する携帯電話の画面表示部に表示するためのペットの画像を撮影する。なお、Ｗｅｂカメラ３０は、ホームゲートウェイ装置２３に直接接続されることに限定されず、無線通信装置を備えることで短距離無線通信網２２を介してホームゲートウェイ装置２３に接続可能としても良い。
【００２５】
ホームゲートウェイ装置２３は、固定通信網３１を介してプレゼンスサーバ１３と接続できる環境にある。従って、ホームゲートウェイ装置２３は、生体情報取得装置２１から受信した生体信号データと、餌残量測定装置２５及び室内測定装置２６から受信した指標データとを１つの組（すなわち個体関連データ）として定期的にプレゼンスサーバ１３に送信することができる。なお、ホームゲートウェイ装置２３から送信される個体関連データの１例は後ほど詳細に説明する。
【００２６】
また、プレゼンスサーバ１３は、移動体通信網３２を介してペットの飼い主の携帯電話３３と接続できる環境にある。さらに、携帯電話３３は、移動体通信網３２を介してホームゲートウェイ装置２３に接続できる環境にある。
【００２７】
なお、ホームゲートウェイ装置２３を有さずに、各装置（生体情報装置２１、餌残量装置２５及び、温室度測定装置２６）によって生成された各データを直接的にプレゼンスサーバ１３に送信しても良い。また、プレゼンスサーバ１３以外の第三者が提供する記録領域等に生成された各データを蓄積しても良い。
【００２８】
携帯電話３３は、制御部３４、通信処理部３５、画面表示部３６データ格納部３７及び入力選択装置３８からなる。制御部３４は、通信処理部３５を制御し、プレゼンスサーバ１３から受信した個体関連データをデータ格納部３７に保存する。制御部３４は、プレゼンスサーバ１３によって判断されたペットの状態判断結果を表す状態判断データに対応するペットの状態を表す画像パターンをデータ格納部３７から選択し、画面表示部３６に表示させる。また、制御部３４は、受信した個体関連データのうちの生体信号データ及び指標データの最新値についても画面表示部３６に表示させる。画面表示部３６におけるペットの状態の表示は、後ほど詳細に説明する。
【００２９】
また、制御部３４は、入力装置３８より入力された情報に基づいて、通信処理部を制御し、移動体通信網３２を介してホームゲートウェイ装置２３と接続し、屋内に設けられたペットの周辺の装置（空調装置２７、音響装２８、照明装置２９及びＷｅｂカメラ３０）を制御することが出来る。
【００３０】
また、携帯電話２２は、移動体通信網２３を介してホームゲートウェイ装置２３にＴＣＰ／ＩＰベースの通信（一例としては、ＨＴＴＰ通信）によって接続可能であり、ホームゲートウェイ装置２３に蓄積された生体信号データ及び指標データを取得することが出来る。
【００３１】
なお、クライアントの使用する端末は携帯電話に限られることはなく、ＰＤＡ、ノートＰＣであっても良い。さらに、携帯用端末に限られることもなく、自宅に置かれたＰＣ等によって家畜小屋等の家畜の監視をしても良い。
【００３２】
次に、生体情報取得装置２１及びホームゲートウェイ装置２３について図３を参照しつつ詳細に説明する。
【００３３】
図３に示されているように、生体情報取得装置２１は、体温センサ４１、脈拍センサ４２、呼吸センサ４３、血圧センサ４４、音センサ４５及び無線通信処理部４６からなる。各センサによって測定されたペットの生体信号データ（体温、脈拍、呼吸、血圧及び泣き声）は、短距離無線通信２２を介してホームゲートウェイ装置２３に送信される。
【００３４】
ホームゲートウェイ装置２３は、制御部４７、無線通信処理部４８、状態記録データベース４９、通信処理部５０及び入力装置５１からなる。制御部４７は、無線通信処理部４８、状態記録データベース４９及び通信処理部５０の制御を行なう。例えば、生体情報取得装置２１から受信した生体信号データの状態記録データベース４９への記録、又は、通信処理部５０を制御しプレゼンスサーバ１３との接続等を行なう。入力装置５１は、ペットの固有情報を入力するために設けられている。ペットの固有情報とは、例えば、ペットの種別、年齢、性別及び体重等であっても良い。
【００３５】
また、制御部４７は、餌残量測定装置２５及び室温測定装置２６から受信した指標データを状態記録データベース４９に記録する。制御部４７は、生体情報取得装置２１から受信した生体信号データ、餌残量測定装置２５、室温測定装置２６から受信した指標データ及び入力装置から入力された固有情報データ及びクライアント毎にあらかじめ割り当てられたクライアントコードをペットの個体関連データに対応する個体毎の組として、プレゼンスサーバ１３に送信する。
【００３６】
次に、ホームゲートウェイ装置２３から送信される個体関連データについて図４を参照しつつ詳細に説明する。
【００３７】
図４に示されているように、個体関連データは、クライアント毎に個別に割り当てられたクライアントコード、固有情報データ、ペットの状態を表す生体信号データ及びペットの周辺環境を表す指標データとからなる。固有情報データは、ペットの種別を表す種別データ、年齢、性別、体重データを含んでいる。また、生体信号データは、各センサで測定されたデータであって、例えば、体温、脈拍、呼吸、血圧及び泣き声を表すデータを含んでいる。さらに、指標データは、ペットの周辺の各装置で測定されたデータであって、例えば、餌及び水の残量、温度並びに湿度を表すデータを含んでいる。なお、クライアントが複数のペットを飼っている場合には、更に固有情報データがペットごとの個別コードを含んでいても良い。
【００３８】
次に、ペットの状態の表示の１例として図５を参照しつつ詳細に説明する。
【００３９】
図５に示されているように、画面表示部３６の略中央にはペットの状態を表示するための画像表示部６１が設けられている。画像表示部６１は、プレゼンスサーバ１３にて生成されたペットの状態判断結果を表す状態判断データ及び入力装置６１によって入力された種別データに基づいて、データ格納部３７から選択した画像パターンを表示する。例えば、画像パターンは、種別データによって犬若しくは猫等のペットの種別だけでなく、更に詳細な種別（例えば柴犬の画像パターン）によって表示されて良い。また状態判断データの最新値に応じて、ペットの状態（例えば、寝ている、吠えている若しくは元気がない等）を画像パターンにて表示しても良い。さらに、画像パターンの色に応じてペットの健康状態を表示しても良い。例えば、画像パターンに表示されたペットの表色が赤ならば元気であり、青ならば元気がないとしても良い。
【００４０】
画像表示部６１の上方には、入力装置５１によって入力された固有情報データを表示する固有情報表示部６２が設けられている。例えば、図５に示されているように、固有情報表示部６２は、左側から順にペットの種別を表示する固有情報表示部６２ａ、ペットの年齢を表示する固有情報表示部６２ｂ、ペットの性別を表示する固有情報表示部６２ｃ及びペットの体重を表示する固有情報表示部６２ｄから構成されていても良い。
【００４１】
画像表示部６１の下方には、ペットの状態のコメントを表示するためのコメント表示部６３が設けられている。例えば、コメント表示部６２は、画像表示部の画像パターンが寝ているペットの表示をしているときは、「寝ている」と表示しても良い。かかるコメントについては、プレゼンスサーバ１３から受信した状態判断データに基づいてデータ格納部３７から選択的に選ばれたコメントを表示しても良い。
【００４２】
画面表示部３６の左下方には、生体情報取得装置２１の各センサよって生成された生体信号データを表示する生体信号データ表示部６４が設けられている。例えば、図５に示されているように、体温データを上段の生体信号データ表示部６４ａに表示し、脈拍データを中段の生体信号データ表示部６４ｂに表示し、血圧データを下段の生体信号データ表示部６４ｃに表示しても良い。
【００４３】
画面表示部３６の左上方には、餌残量測定装置２５及び室温測定装置２６によって生成された指標データを表示する指標データ表示部６５が設けられている。例えば、図５に示されているように、室温及び湿度データを上段の指標データ表示部６５ａに表示し、餌及び水残量データを下段の指標データ表示部６５ｂに表示しても良い。
【００４４】
画面表示部３６の右下方には、入力選択装置３８にて選択可能な各種機能の作動及び表示するための選択ボタン６６が設けられている。例えば、図５で示されているように、選択ボタン６６は上方から順に、屋内に設けられたWebカメラ３０を起動せしめる選択ボタン６６ａ、屋内に設けられたその他の装置を起動せしめて、ペットの環境を制御する選択ボタン６６ｂ、蓄積されたペットの生体信号データをグラフにて確認（すなわち健康履歴の確認）する選択ボタン６６ｃ及びインターネットに接続してペット相談を行なう選択ボタン６６ｄからなっていても良い。
【００４５】
Ｗｅｂカメラ起動用の選択ボタン６６aを選択すると、移動体通信網３２を介してホームゲートウェイ装置２３に接続し、ホームゲートウェイ装置２３に接続されたＷｅｂカメラ３０を起動せしめ、Ｗｅｂカメラ３０の映像は画像表示部６１に表示される。環境制御用の選択ボタン６６ｂを選択すると、画面表示部３６の表示が屋内に設けられた空調装置２７、音響装置２５及び照明装置３０の制御用の画面（図示せず）に切り替わり、ペットの状態に合わせて各装置の制御を行なうことが出来る。例えば、ペットが寝ている状態のときは照明装置を制御し屋内を暗くし、室温が低い場合には空調装置を制御し室温を上げることができる。
【００４６】
次に、健康管理用の選択ボタン６６ｃを選択したときに表示されるグラフの１例を図６を参照しつつ詳細に説明する。
【００４７】
図６に示されているように、画面表示部３６には、グラフ表示部７１及びグラフ表示部７１に表示されるグラフの種類名を表示しかつグラフの切り替えを可能とするグラフ切り替え表示ボタン７２が表示される。例えば、グラフ切り替え表示ボタン７２は左側から順に、体温グラフを表示するグラフ切り替え表示ボタン７２ａ、脈拍を表示するグラフ切り替え表示ボタン７２ｂ、血圧を表示するグラフ切り替え表示ボタン７２ｃからなっていても良い。グラフ切り替えボタン表示７２ａ〜７２ｃのいずれか１つを入力選択装置３８によって選択することで、選択されたボタンに対応するグラフがグラフ表示部７１に表示される。
【００４８】
図６に示されているように、本グラフはペットの体温変化を示すグラフであって、グラフの縦軸は体温であり、グラフ横軸は時間である。グラフ内の実線グラフ７３は、ペットの体温変化を示すグラフである。また、グラフ内の破線グラフ７４は、プレゼンスサーバ１３に蓄積された他のクライアントのペットの生体信号データから、当該クライアントが飼っているペットと同じ種別データを有する複数のペットの生体信号データの平均値を示すグラフである。さらに、グラフ上方の一点鎖線７５は、ペットの異常の有無を判断するための体温の上限値を示すグラフである。グラフ下方の一点鎖線７６も同様に体温の下限値を示すグラフである。なお、上限値及び下限値は、携帯電話３３の入力選択装置３８若しくはホームゲートウェイ装置２３の入力装置５１から設定可能としても良い。
【００４９】
また、実線グラフ７３が上限値若しくは下限値を越えている場合には、上述したようにプレゼンスサーバ１３から異常値検出の連絡がなされる。例えば、異常値検出の連絡は、携帯電話３３への電話連絡若しくはメール連絡であっても良い。
【００５０】
なお、脈拍グラフ及び血圧グラフについては、体温グラフと同様の構成表示をするため、説明は割愛する。
【００５１】
次に、プレゼンスサーバ１３にて生体信号データからペットの異常判別について図７のフローチャートに基づいて詳細に説明する。
【００５２】
まず、呼吸センサ４３で生成された呼吸データ信号によりペットが呼吸しているかを判定する（ステップＳ１）。ペットが呼吸をしていればステップＳ２へ進む。また、ペットが呼吸をしていないと判定されるとステップＳ３へ進む。
【００５３】
ステップＳ２では、脈拍センサ４２で生成された脈拍データ信号が設定範囲内であるかを判定する（ステップＳ２）。脈拍が設定範囲内であればステップＳ４へ進む。また、脈拍が設定範囲外であればステップＳ３へ進む。
【００５４】
ステップＳ４では、体温センサ４１で生成された体温データ信号が設定範囲内であるかを判定する（ステップＳ４）。体温が設定範囲内であればステップＳ５へ進む。また、体温が設定範囲外であればステップＳ３へ進む。
【００５５】
ステップＳ５では、血圧センサ４１で生成された血圧データ信号が設定範囲内であるかを判定する（ステップＳ５）。血圧が設定範囲内であればステップＳ６へ進む。また、血圧が設定範囲外であればステップＳ３へ進む。
【００５６】
ステップＳ６では、音センサ４１で生成されたペットの泣き声を示す音データ信号が設定デシベル以上の値かを判定する（ステップＳ６）。泣き声が設定デシベル以上ならば泣き声継続時間ｔをｔ＋１とする（ステップＳ７）。また、泣き声が設定デシベル未満ならば泣き声継続時間ｔを０とする（ステップＳ８）。
【００５７】
次に、ステップＳ７又はステップＳ８にて変更された泣き声継続時間が設定時間以上継続しているかを判定する（ステップＳ９）。ペットの泣き声が設定時間以上継続している場合にはステップＳ３へ進む。それ以外の場合には、ペットの状態は健康であると判断される。
【００５８】
ステップ３では、各センサのデータ信号からペットの状態が異常であると判定し、飼い主であるクライアントの携帯電話３３に電話若しくはメールによる異常連絡がなされる（ステップＳ３）。
【００５９】
次に、本発明によるペットの個体関連データの通信フローの１例を図８を用いて詳細に説明する。
【００６０】
生体情報取得装置２１は、ペットの状態を表す生体信号データを生成する（ステップＳ１）。生体情報取得装置２１の無線通信処理部４６は、生体信号データをホームゲートウェイ装置２３に送信する（ステップＳ２）。また、餌残量測定装置２５及び温室度測定装置２６は、ペットの周辺環境を表す指標データを生成する（ステップＳ３）。餌残量測定装置２５及び温湿度測定装置２６からホームゲートウェイ装置２３に指標データが送信される（ステップＳ４）。
【００６１】
ホームゲートウェイ装置２３は、生体情報取得装置２１から受信した生体信号データ並びに餌残量測定装置２５及び室内測定装置２６から受信した指標データを状態記録データベース４９に記録する（ステップＳ５）。生体信号データ、指標データ並びに入力装置５１によってあらかじめ入力されたクライントコード及び固有情報データを組とする個体関連データが固定通信網３１を介してプレゼンスサーバ１３へ送信される（ステップＳ６）。
【００６２】
プレゼンスサーバ１３は、ホームゲートウェイ装置２３から受信した個体関連データをプレゼンスデータベース１６に記録する（ステップＳ７）。プレゼンサーバ１３の制御部１４は、個体関連データの生体信号データ及び種別データからペットの状態を判定し、状態判断データを生成する（ステップＳ８）。プレゼンスサーバ１３は、携帯電話３３へ個体関連データ及び状態判断データを送信する（ステップＳ９）。
【００６３】
携帯電話３３は、受信した個体関連データの生体信号データ、指標データ及び状態判断データに対応した画像パターンを画像表示部３６に表示する（ステップＳ１１）。
【００６４】
以上のように、本発明の実施例の哺乳動物監視装置は、哺乳動物の生体情報を表す個体関連データを保持するサーバと、個体関連データに基づく哺乳動物の生体情報及び環境を画像パターンにて表示する複数のクライアントと、を有するので哺乳動物の状態を容易かつ正確に判断することが出来る。
【図面の簡単な説明】
【００６５】
【図１】本発明の実施例の構成を示すブロック図である。
【図２】図１に示されたクライアントの詳細構成を示すブロック図である。
【図３】図２に示された生体情報取得装置及びホームゲートウェイ装置の詳細構成を示すブロック図である。
【図４】本発明の個体関連データの１例を示す構成図である。
【図５】クライアントの端末において表示される画面例を示す図である。
【図６】クライアントの端末において表示される画面例を示す図である。
【図７】ペットの異常判別プログラムのフローチャートである。
【図８】本発明の実施例における通信フローである。
【符号の説明】
【００６６】
１１    クライアント
１２    ネットワーク
１３    プレゼンスサーバ
２１    生体情報取得装置
２３    ホームゲートウェイ装置
３１    固定通信網
３２    移動体通信網
３３    携帯電話
【図１】
2008228695.tif 000003
【図２】
2008228695.tif 000004
【図３】
2008228695.tif 000005
【図４】
2008228695.tif 000006
【図５】
2008228695.tif 000007
【図６】
2008228695.tif 000008
【図７】
2008228695.tif 000009
【図８】
2008228695.tif 000010